(57)【要約】      （修正有）【課題】歩道と車道との間に設けた側溝ブロックのスリットを確実に封鎖し、スリットへの靴のヒールの喰込み防止、又は傘の石突きの嵌入防止、その他、人の指先の挿入防止、或いは小物の落込み防止等を図るスリット用の封鎖具を提供する。【解決手段】側溝ブロックのスリットを封鎖し、かつ雨水の通過を許す複数の開口部を、長手方向に開設した細幅板状の封鎖具本体と、封鎖具本体より垂下した差込み片と、差込み片の周辺壁より垂設し、かつスリットに係着される、拡縮自在の対の脚片と、各脚片を拡開し、開口部より挿入される楔片で構成したスリット用の封鎖具、従って、スリットの封鎖と、雨水の導入の両面を確保できる。【選択図】図１
0003155026.tif 000002
【実用新案登録請求の範囲】
【請求項１】
側溝ブロックに開設したスリットを封鎖し、かつ雨水の通過を許す複数の導水開口部を、その長手方向に開設した細幅板状の封鎖具本体と、この封鎖具本体より垂下した多数の開口部を備えた差込み片と、この差込み片の開口部の周辺壁より垂設し、かつ前記スリットに係着される、少なくとも、二個以上の拡縮自在の帯状の脚片と、この各脚片を拡開し、前記開口部より挿入される楔片で構成した側溝ブロックに開設したスリット用の封鎖具。
【請求項２】
請求項１に記載の側溝ブロックに開設したスリット用の封鎖具であって、
前記脚片の内面で、かつその端側に垂設した対の壁片と、この内面で、前記内面で、かつこの壁片間に階段形状の係止部を備えた拡開用突起と、で構成した側溝ブロックに開設したスリット用の封鎖具。
【請求項３】
請求項１に記載の側溝ブロックに開設したスリット用の封鎖具であって、
前記差込み片と、脚片との連設部位に切込みを形成するとともに、前記差込み片の下端と、前記壁片の上端の間に水路として機能する隙間部を形成する構成とした側溝ブロックに開設したスリット用の封鎖具。
【請求項４】
請求項１に記載の側溝ブロックに開設したスリット用の封鎖具であって、
前記楔片は、差渡し方向の側壁面に凹凸部を設け、この側壁面の上面に吊下用の鍔片を設ける構成した側溝ブロックに開設したスリット用の封鎖具。
【考案の詳細な説明】
【技術分野】
【０００１】
本考案は、側溝ブロックに開設したスリット用の封鎖具に関する。
【背景技術】
【０００２】
従来、この種の側溝ブロックの長手方向に開設したスリットを封鎖する開口部を備えた封鎖具としては、金属製でなる帯状で、その長手方向に筋片を備えた封鎖具本体と、この封鎖具本体の長手方向に適宜間隔で設けた開口部と、この封鎖具本体の下面に設けた前記スリットの内壁面に嵌合する複数個の差込み脚部とで構成し、この差込み脚部をスリットに差込み、このスリットを封鎖具本体で封鎖（被う）構造である。この金属製の封鎖具は、スリットを封鎖でき、このスリットへの靴のヒールの喰込み防止、又は傘の石突きの嵌入防止、その他、人の指先の挿入防止、或いは小物の落込み防止等に有効である。しかし、この差込み脚部と、スリットの内壁面との嵌合が十分でなく、この封鎖具の一方側を踏み付けた場合に、他方側が持ち上がること等の危険性があることが考えられる。また、この一例では、差込み脚部に設けた止め具を介して、この差込み脚部を、スリットの内壁面に嵌合する構造であるので、その取付け作業が、大変であること、手間を要すること、等の問題点を抱えている。
【０００３】
以上の一例を示した従来技術においての改良点を、先行文献を基に検討すると、次に挙げるような複数の文献がある。以下、その概要を説明する。
【０００４】
文献（１）は、特開２００２−７０１３７の「側溝用蓋」の発明がある。この文献（１）は、側溝の蓋の長手方向に開設されたスリットに圧嵌されるインサートグレーチングであって、このインサートグレーチングは、その長手方向に雨水流通細孔を多数直列に設けた構造である。このインサートグレーチングを樹脂性とすることで、スリット内に挿入し、その後、スリットの末広がりの断面形態と、このインサートグレーチングの側面に形成した補強リブの反発を利用し、この断面形態に、補強リブを圧着、かつ係止（圧嵌）する。そして、蓋体製作の簡便性と、蓋体の耐久性向上と、雨水流通機能確保等を意図する。しかし、この文献（１）は、側溝用蓋が押圧された場合には、圧嵌のみの取付けでは、陥没落下する虞があり、問題である。また、側溝用蓋に予めインサートグレーレイチングを圧嵌する構造と考えられ、現場での施工と、敷設後の修理に問題を残すものであり、利便性に欠けると考えられる。
【０００５】
また、文献（２）は、特開２００５−２４８５７１の「側溝」の発明である。この文献（２）は、側溝の車道側蓋部に設けた水平スリットと、垂直スリットを設け、この水平スリットに、断面Ｌ字状のアスファルトストッパーを配設し、このアスファルトストッパーの垂直面で、前記垂直スリットの一部を封鎖するとともに、表層アスファルトを素早く、かつ美麗に敷設できることを特徴とする構造である。従って、歩道と、車道の舗装が、美麗に仕上がること、また、車道と歩道との境界を走行する車輌（自転車）の走行が安全にできる。しかし、この文献（２）は、垂直スリットの一部を封鎖する感覚であるが、明確でなく、従来の問題点の解消には、十分でないこと、また、この文献（２）は、垂直スリットを、アスファルトストッパーで封鎖する構造であるが、この垂直スリットの一部の封鎖であり、従来のトラブルを解消するには、到っていないと考えられる。
【０００６】
さらに、文献（３）は、特開２００５−３６５２７の「透水性舗装路用側溝ブロック」の発明である。この文献（３）は、側溝ブロックに設けた競り上がった上部開口に、支持部材を設け、この支持部材の上に、グレーチングを配設する構造であり、歩道と車道との間に設けた側溝ブロックに、この構造を採用することは、困難である。また、その利用分野が限定されるものである。
【０００７】
【特許文献１】特開２００２−７０１３７
【特許文献２】特開２００５−２４８５７１
【特許文献３】特開２００５−３６５２７
【考案の概要】
【考案が解決しようとする課題】
【０００８】
前記文献（１）〜文献（３）においては、歩道と車道との間に設けた側溝ブロックのスリットを確実に封鎖し、前記スリットへの靴のヒールの喰込み防止、又は傘の石突きの嵌入防止、その他、人の指先の挿入防止、或いは小物の落込み防止等を図るには十分でない。また、この文献（１）は、補強リブを、雨水流通細孔に圧嵌する構造であるが、この圧嵌での保持には、限界があり、落下する危険性があり、安定性に欠ける改良点がある。尚、文献（２）は、このアスファルトストッパーで、アスファルトの端部の敷設を確実、かつ美麗にできるが、このアスファルトストッパーで、垂直スリットを封鎖することには問題がある。尚、文献（３）は、その採用する箇所が特定されるので、通常の側溝ブロックのスリットを封鎖することは困難視されること、又は利用価値が少ないと考えられる。
【課題を解決するための手段】
【０００９】
請求項１の考案は、歩道と車道との間に設けた側溝ブロックのスリットを確実に封鎖し、スリットへの靴のヒールの喰込み防止、又は傘の石突きの嵌入防止、その他、人の指先の挿入防止、或いは小物の落込み防止等を図るスリット用の封鎖具を提供する。また、この請求項１の考案は、封鎖具の一方の端部に乗っても、シーソーの如く、他方の端部が競り上がることがなく、安全性と、確実な係着が図れるスリット用の封鎖具を提供する。そして、また、この請求項１の考案は、封鎖具本体に設けた脚片と、楔片との緊締で、この封鎖具本体を、スリットに、確実、かつ容易に係着できるスリット用の封鎖具を提供する。
【００１０】
請求項１は、側溝ブロックに開設したスリットを封鎖し、かつ雨水の通過を許す複数の導水開口部を、その長手方向に開設した細幅板状の封鎖具本体と、この封鎖具本体より垂下した多数の開口部を備えた差込み片と、この差込み片の開口部の周辺壁より垂設し、かつ前記スリットに係着される、少なくとも、二個以上（対）の拡縮自在の帯状の脚片と、この各脚片を拡開し、前記開口部より挿入される楔片で構成した側溝ブロックに開設したスリット用の封鎖具である。
【００１１】
請求項２の考案は、請求項１の目的とする意図を達成すること、そして、この意図を達成するに、最適で、かつ優れた係着が図れる脚片の構造を提供すること意図する。
【００１２】
請求項２は、請求項１に記載の側溝ブロックに開設したスリット用の封鎖具であって、
前記脚片の内面で、かつその端側に垂設した対の壁片と、この内面で、前記内面で、かつこの壁片間に階段形状の係止部を備えた拡開用突起と、で構成した側溝ブロックに開設したスリット用の封鎖具である。
【００１３】
請求項３の考案は、請求項１の目的とする意図を達成すること、そして、この意図を達成するに、最適で、かつ優れた流水機能を備えた脚片の構造を提供すること意図する。
【００１４】
請求項３は、請求項１に記載の側溝ブロックに開設したスリット用の封鎖具であって、
前記差込み片と、脚片との連設部位に切込みを形成するとともに、前記差込み片の下端と、前記壁片の上端の間に水路として機能する隙間部を形成する構成とした側溝ブロックに開設したスリット用の封鎖具である。
【００１５】
請求項４の考案は、請求項１の目的とする意図を達成すること、そして、この意図を達成するに、最適で、かつ優れた係着が図れる楔片の構造を提供すること意図する。
【００１６】
請求項４は、請求項１に記載の側溝ブロックに開設したスリット用の封鎖具であって、
前記楔片は、差渡し方向の側壁面に凹凸部を設け、この側壁面の上面に吊下用の鍔片を設ける構成した側溝ブロックに開設したスリット用の封鎖具である。
【考案の効果】
【００１７】
請求項１の考案は、側溝ブロックに開設したスリットを封鎖し、かつ雨水の通過を許す複数の導水開口部を、長手方向に開設した細幅板状の封鎖具本体と、封鎖具本体より垂下した多数の開口部を備えた差込み片と、差込み片の開口部の周辺壁より垂設し、かつスリットに係着される、少なくとも、二個以上の拡縮自在の帯状の脚片と、各脚片を拡開し、開口部より挿入される楔片で構成した側溝ブロックに開設したスリット用の封鎖具である。
【００１８】
従って、請求項１は、歩道と車道との間に設けた側溝ブロックのスリットを確実に封鎖し、スリットへの靴のヒールの喰込み防止、又は傘の石突きの嵌入防止、その他、人の指先の挿入防止、或いは小物の落込み防止等を図るスリット用の封鎖具を提供できる。また、この請求項１は、封鎖具の一方の端部に乗っても、シーソーの如く、他方の端部が競り上がることがなく、安全性と、確実な係着が図れるスリット用の封鎖具を提供できる。そして、また、この請求項１の考案は、封鎖具本体に設けた脚片と、楔片との緊締で、この封鎖具本体を、スリットに、確実、かつ容易に係着できるスリット用の封鎖具を提供できる。
【００１９】
請求項２の考案は、請求項１に記載の側溝ブロックに開設したスリット用の封鎖具であって、
脚片の内面で、かつ端側に垂設した対の壁片と、内面で、前記内面で、かつ壁片間に階段形状の係止部を備えた拡開用突起と、で構成した側溝ブロックに開設したスリット用の封鎖具である。
【００２０】
従って、請求項２は、請求項１の目的とする意図を達成できること、そして、この意図を達成するに、最適で、かつ優れた係着が図れる脚片の構造を提供できること、等の特徴を有する。
【００２１】
請求項３の考案は、請求項１に記載の側溝ブロックに開設したスリット用の封鎖具であって、
差込み片と、脚片との連設部位に切込みを形成するとともに、差込み片の下端と、壁片の上端の間に水路として機能する隙間部を形成する構成とした側溝ブロックに開設したスリット用の封鎖具である。
【００２２】
従って、請求項３は、請求項１の目的とする意図を達成できること、そして、この意図を達成するに、最適で、かつ優れた流水機能を備えた脚片の構造を提供できること、等の特徴を有する。
【００２３】
請求項４の考案は、請求項１に記載の側溝ブロックに開設したスリット用の封鎖具であって、
楔片は、差渡し方向の側壁面に凹凸部を設け、側壁面の上面に吊下用の鍔片を設ける構成した側溝ブロックに開設したスリット用の封鎖具である。
【００２４】
従って、請求項４は、請求項１の目的とする意図を達成できること、そして、この意図を達成するに、最適で、かつ優れた係着が図れる楔片の構造を提供できること、等の特徴を有する。
【図面の簡単な説明】
【００２５】
【図１】本考案のスリット用の封鎖具（封鎖具とする）の一例の全体を示した斜視図
【図２−１】本考案の封鎖具の全体を示した平面図
【図２−２】本考案の封鎖具の全体を示した正面図
【図２−３】本考案の封鎖具の全体を示した側面図
【図３】本考案の封鎖具の封鎖具本体と、脚片等との関係を示した要部欠截の拡大斜視図
【図４】本考案の封鎖具の封鎖具本体の脚片に設けた楔片を示した拡大斜視図
【図５】本考案の封鎖具の封鎖具本体と、脚片と、楔片等との関係を示した要部欠截の拡大斜視図
【図６−１】本考案の封鎖具の封鎖具本体と、脚片等との関係で、この脚片の使用前で、垂下状態（自然状態）を示した要部欠截の拡大側面図
【図６−２】本考案の封鎖具の封鎖具本体と、脚片と、楔片等との関係で、脚片の使用後で拡開状態を示した要部欠截の拡大側面図
【図７】本考案の封鎖具を設置する側溝ブロックの一例を示した斜視図
【図８】本考案の封鎖具を設置するに最適な側溝ブロックの一例を示した斜視図
【考案を実施するための形態】
【００２６】
本考案の好ましい、一実施例を説明すると、１は側溝ブロックＡに開設したスリットＡ１を封鎖する細幅板状の封鎖具本体で、この封鎖具本体１は、耐光性、耐久性、耐蝕性等を備えた樹脂製か、又は金属製とする。尚、樹脂製では、軽量化、取扱いの容易化、また、衝撃性、低音性等に有効である。そして、この封鎖具本体１は、その長手方向Ｘにおいて、かつ上面に開設した雨水の通過を許す複数の導水開口部１００と、この開口部１００の長手方向Ｘに連続して垂下した壁状の差込み片１０１と、また、この開口部１００を短手方向Ｙと、その長手方向Ｘの両端部に差渡した板状の差渡し片１０２を有する。また、この差渡し片１０２の上面には、補強と、スリップ防止用の膨出部１０２ａを形成する。この差込み片１０１と、差渡し片１０２で、開口部１００の方形状の周辺壁２を構成する。尚、差渡し片１０２の垂下方向の高さは、両端部を除いて、他の差渡し片１０２は、差込み片１０１の略１／２程度とする（後述する切欠き部の形成に役立てる）。
【００２７】
また両差込み片１０１（対峙する差込み片１０１、１０１）の周辺壁２の自由端２ａで、かつ差渡し片１０２間には、板状の脚片３、３（対の場合は、一方で説明する。以下、同じ）が対峙、かつ垂下して設けられており、この脚片３の長手方向Ｘの端側には、壁片３００、３００を短手方向Ｙに向って立設する。そして、この壁片３００の上端と、差渡し片１０２（周辺壁２）の下端との間には、後述する、水路の一部として機能し、また、後述する楔片の鍔片の挿入を許すための切欠き部８、８（隙間部）を形成する。この脚片３の内面３ａには、対の係止部５、５（対が望ましいが、一条もあり得る）が設けられており、この係止部５には、その短手方向Ｙの内方に向って、階段形状の係止段５００、５０１・・・・・（５００とする）が設けられ、かつ係止段５００に、下に行くに従って、高くする構造とし、後述する楔片１０の圧入により、この脚片３が短手方向Ｙの外方に拡開する構造である。そして、この係止段５００は、フリー状態（楔片の圧入がないとき）は、水平方向Ｚとなる。尚、この係止部５と、係止段５００は、対であり、当然、対峙関係の構造である。また、この差込み片１０１と、前記脚片３との連設部位７には、差込み片１０１の内側から、外側に向って肉を削いで形成した切込み９、９（対が望ましいが、一条もあり得る）を設ける。この切込み９は、差込み片１０１、及び／又は、脚片３に可撓性が付与できる特徴がある。例えば、この脚片３の拡開と、縮径等の機能の向上と、又はこの脚片３の亀裂防止等の耐久性の向上を図ること、等が考えられる。
【００２８】
図中１０は楔片で、この楔片１０は樹脂製か、又は金属製とする。この楔片１０は、略角柱形状で、先端部１０ａが収れんすることを特徴とし、その短手方向Ｙ（差渡し方向）の側壁面１０ｂ、１０ｂには、水平方向Ｚの凹凸部１１を有するとともに、上面には方形状の鍔片１２を有する。この楔片１０は、その先端部１０ａを、フリー状態の前記封鎖具本体１の開口部１００に差込み（図６−１参照）、この側壁面１０ｂで、この封鎖具本体１の係止部５を押圧する。この押圧で、この封鎖具本体１の脚片３を拡開し、かつこの拡開時に、係止部５の係止段５００が、先下がり傾斜状態となるとともに、この傾斜状態の係止段５００に、楔片１０の凹凸部１１の段付き部が喰込み、所謂、楔係止関係が確保され（図５、図６−２参照）、前記脚片３の拡開が確保されるとともに、この脚片３が、側溝ブロックＡのスリットＡ１の内壁面Ａ２に係着（圧接係止）される。そして、楔片１０の鍔片１２は、切欠き部８に進入した後に、壁片３００の上端（一例として、四箇所の上端）に架承されることで、楔係止関係とともに、この楔片１０の過度の進入防止と、落下防止に役立つ利点がある。
【００２９】
以下、封鎖具本体１を、側溝ブロックＡのスリットＡ１に係着する好ましい一例を説明すると、この封鎖具本体１の脚片３と差込み片１０１を、順にスリットＡ１に差込み、図６−１の如く、差込み時に、この封鎖具本体１の鍔部１ａ下面が、側溝ブロックＡの上面に添接した状態となる。この差込み完了時においては、この差込み片１０１は、スリットＡ１の内壁面Ａ２の上部に近接し、また、この脚片３は、スリットＡ１の内壁面Ａ２より、僅か離間した状態で、例えば、この脚片３とスリットＡ１の内壁面Ａ２との間には、間隔が形成される。また、この状態では、封鎖具本体１の開口部１００と、側溝ブロックＡの通水路Ａ３は連通している。
【００３０】
そこで、続いて、開口部１００の中で、脚片３を設けられている開口部１００（フリー状態の開口部１００）に、楔片１０の先端部１０ａから差込み（図６−１参照）、この側壁面１０ｂで、この脚片３に設けた係止部５を押圧する。この押圧で、この脚片３を拡開し、かつこの拡開時に、係止部５の係止段５００が、先下がり傾斜状態となるとともに、この傾斜状態の係止段５００に、楔片１０の凹凸部１１の段付き部が喰込み、楔係止関係が確保される（図５、図６−２参照）。そして、この脚片３の拡開が確保されるとともに、この脚片３が、側溝ブロックＡのスリットＡ１の内壁面Ａ２に係着される。また、楔片１０の鍔片１２は、切欠き部８に進入した後に、壁片３００の上端に架承されることで、楔係止関係となり、かつ楔片１０の過度の進入防止と、落下防止に役立つ利点がある。
【００３１】
以上の如く、この脚片３が、側溝ブロックＡのスリットＡ１の内壁面Ａ２に係着されることで、封鎖具が、側溝ブロックＡのスリットＡ１に適度の強度で係着される。また、この楔片１０が落下、又は脱抜等されない限り、この封鎖具は、側溝ブロックＡのスリットＡ１より離脱することはないし、また、封鎖具の一方側が持ち上がることも皆無であり、安全に寄与できること、また、事故を誘発することもなく有益である。
【００３２】
そして、前記開口部１００に差込まれ、かつ壁片３００の上端に架承された楔片１０の鍔片１２の上面と、開口部１００の周辺壁２の下端との間には、水路として機能する切欠き部８が形成される。従って、開口部１００より流入した雨水の一部は、又は周辺壁２を流下した雨水は、この切欠き部８（隙間部）を経由し、側溝ブロックＡ内に流下する構造である。即ち、この切欠き部８が水路となり、この開口部１００と、その近辺の開口部１００に導かれた雨水の溢出を防止できる。
【符号の説明】
【００３３】
１              封鎖具本体
１ａ            鍔部
１００          開口部
１０１          差込み片
１０２          差渡し片
１０２ａ        膨出部
２              周辺壁
２ａ            自由端
３              脚片
３ａ            内面
３００          壁片
５              係止部
５００          係止段
７              連設部位
８              切欠き部
９              切込み
１０            楔片
１０ａ          先端部
１０ｂ          側壁面
１１            凹凸部
１２            鍔片
Ａ              側溝ブロック
Ａ１            スリット
Ａ２            内壁面
Ａ３            通水路
Ｘ              長手方向
Ｙ              短手方向
Ｚ              水平方向
【図１】
0003155026.tif 000003
【図２−１】
0003155026.tif 000004
【図２−２】
0003155026.tif 000005
【図２−３】
0003155026.tif 000006
【図３】
0003155026.tif 000007
【図４】
0003155026.tif 000008
【図５】
0003155026.tif 000009
【図６−１】
0003155026.tif 000010
【図６−２】
0003155026.tif 000011
【図７】
0003155026.tif 000012
【図８】
0003155026.tif 000013
【手続補正書】
【提出日】平成21年8月26日(2009.8.26)
【手続補正１】
【補正対象書類名】実用新案登録請求の範囲
【補正対象項目名】全文
【補正方法】変更
【補正の内容】
【実用新案登録請求の範囲】
【請求項１】
側溝ブロックに開設したスリットを封鎖し、かつ雨水の通過を許す複数の導水開口部を、その長手方向に開設した細幅板状の封鎖具本体と、この封鎖具本体より垂下した多数の開口部を備えた差込み片と、この差込み片の開口部の周辺壁より垂設し、かつ前記スリットに係着される、少なくとも、二個以上の拡縮自在の帯状の脚片と、この各脚片を拡開し、前記開口部より挿入される楔片で構成した側溝ブロックに開設したスリット用の封鎖具。
【請求項２】
請求項１に記載の側溝ブロックに開設したスリット用の封鎖具であって、
前記脚片の内面で、かつその端側に垂設した対の壁片と、この内面で、前記内面で、かつこの壁片間に階段形状の係止部を備えた拡開用突起と、で構成した側溝ブロックに開設したスリット用の封鎖具。
【請求項３】
請求項２に記載の側溝ブロックに開設したスリット用の封鎖具であって、
前記差込み片と、脚片との連設部位に切込みを形成するとともに、前記差込み片の下端と、前記壁片の上端の間に水路として機能する隙間部を形成する構成とした側溝ブロックに開設したスリット用の封鎖具。
【請求項４】
請求項１に記載の側溝ブロックに開設したスリット用の封鎖具であって、
前記楔片は、差渡し方向の側壁面に凹凸部を設け、この側壁面の上面に吊下用の鍔片を設ける構成した側溝ブロックに開設したスリット用の封鎖具。
【手続補正２】
【補正対象書類名】明細書
【補正対象項目名】全文
【補正方法】変更
【補正の内容】
【考案の詳細な説明】
【技術分野】
【０００１】
本考案は、側溝ブロックに開設したスリット用の封鎖具に関する。
【背景技術】
【０００２】
従来、この種の側溝ブロックの長手方向に開設したスリットを封鎖する開口部を備えた封鎖具としては、金属製でなる帯状で、その長手方向に筋片を備えた封鎖具本体と、この封鎖具本体の長手方向に適宜間隔で設けた開口部と、この封鎖具本体の下面に設けた前記スリットの内壁面に嵌合する複数個の差込み脚部とで構成し、この差込み脚部をスリットに差込み、このスリットを封鎖具本体で封鎖（被う）構造である。この金属製の封鎖具は、スリットを封鎖でき、このスリットへの靴のヒールの喰込み防止、又は傘の石突きの嵌入防止、その他、人の指先の挿入防止、或いは小物の落込み防止等に有効である。しかし、この差込み脚部と、スリットの内壁面との嵌合が十分でなく、この封鎖具の一方側を踏み付けた場合に、他方側が持ち上がること等の危険性があることが考えられる。また、この一例では、差込み脚部に設けた止め具を介して、この差込み脚部を、スリットの内壁面に嵌合する構造であるので、その取付け作業が、大変であること、手間を要すること、等の問題点を抱えている。
【０００３】
以上の一例を示した従来技術においての改良点を、先行文献を基に検討すると、次に挙げるような複数の文献がある。以下、その概要を説明する。
【０００４】
文献（１）は、特開２００２−７０１３７の「側溝用蓋」の発明がある。この文献（１）は、側溝の蓋の長手方向に開設されたスリットに圧嵌されるインサートグレーチングであって、このインサートグレーチングは、その長手方向に雨水流通細孔を多数直列に設けた構造である。このインサートグレーチングを樹脂性とすることで、スリット内に挿入し、その後、スリットの末広がりの断面形態と、このインサートグレーチングの側面に形成した補強リブの反発を利用し、この断面形態に、補強リブを圧着、かつ係止（圧嵌）する。そして、蓋体製作の簡便性と、蓋体の耐久性向上と、雨水流通機能確保等を意図する。しかし、この文献（１）は、側溝用蓋が押圧された場合には、圧嵌のみの取付けでは、陥没落下する虞があり、問題である。また、側溝用蓋に予めインサートグレーレイチングを圧嵌する構造と考えられ、現場での施工と、敷設後の修理に問題を残すものであり、利便性に欠けると考えられる。
【０００５】
また、文献（２）は、特開２００５−２４８５７１の「側溝」の発明である。この文献（２）は、側溝の車道側蓋部に設けた水平スリットと、垂直スリットを設け、この水平スリットに、断面Ｌ字状のアスファルトストッパーを配設し、このアスファルトストッパーの垂直面で、前記垂直スリットの一部を封鎖するとともに、表層アスファルトを素早く、かつ美麗に敷設できることを特徴とする構造である。従って、歩道と、車道の舗装が、美麗に仕上がること、また、車道と歩道との境界を走行する車輌（自転車）の走行が安全にできる。しかし、この文献（２）は、垂直スリットの一部を封鎖する感覚であるが、明確でなく、従来の問題点の解消には、十分でないこと、また、この文献（２）は、垂直スリットを、アスファルトストッパーで封鎖する構造であるが、この垂直スリットの一部の封鎖であり、従来のトラブルを解消するには、到っていないと考えられる。
【０００６】
さらに、文献（３）は、特開２００５−３６５２７の「透水性舗装路用側溝ブロック」の発明である。この文献（３）は、側溝ブロックに設けた競り上がった上部開口に、支持部材を設け、この支持部材の上に、グレーチングを配設する構造であり、歩道と車道との間に設けた側溝ブロックに、この構造を採用することは、困難である。また、その利用分野が限定されるものである。
【０００７】
【特許文献１】特開２００２−７０１３７
【特許文献２】特開２００５−２４８５７１
【特許文献３】特開２００５−３６５２７
【考案の概要】
【考案が解決しようとする課題】
【０００８】
前記文献（１）〜文献（３）においては、歩道と車道との間に設けた側溝ブロックのスリットを確実に封鎖し、前記スリットへの靴のヒールの喰込み防止、又は傘の石突きの嵌入防止、その他、人の指先の挿入防止、或いは小物の落込み防止等を図るには十分でない。また、この文献（１）は、補強リブを、雨水流通細孔に圧嵌する構造であるが、この圧嵌での保持には、限界があり、落下する危険性があり、安定性に欠ける改良点がある。尚、文献（２）は、このアスファルトストッパーで、アスファルトの端部の敷設を確実、かつ美麗にできるが、このアスファルトストッパーで、垂直スリットを封鎖することには問題がある。尚、文献（３）は、その採用する箇所が特定されるので、通常の側溝ブロックのスリットを封鎖することは困難視されること、又は利用価値が少ないと考えられる。
【課題を解決するための手段】
【０００９】
請求項１の考案は、歩道と車道との間に設けた側溝ブロックのスリットを確実に封鎖し、スリットへの靴のヒールの喰込み防止、又は傘の石突きの嵌入防止、その他、人の指先の挿入防止、或いは小物の落込み防止等を図るスリット用の封鎖具を提供する。また、この請求項１の考案は、封鎖具の一方の端部に乗っても、シーソーの如く、他方の端部が競り上がることがなく、安全性と、確実な係着が図れるスリット用の封鎖具を提供する。そして、また、この請求項１の考案は、封鎖具本体に設けた脚片と、楔片との緊締で、この封鎖具本体を、スリットに、確実、かつ容易に係着できるスリット用の封鎖具を提供する。
【００１０】
請求項１は、側溝ブロックに開設したスリットを封鎖し、かつ雨水の通過を許す複数の導水開口部を、その長手方向に開設した細幅板状の封鎖具本体と、この封鎖具本体より垂下した多数の開口部を備えた差込み片と、この差込み片の開口部の周辺壁より垂設し、かつ前記スリットに係着される、少なくとも、二個以上（対）の拡縮自在の帯状の脚片と、この各脚片を拡開し、前記開口部より挿入される楔片で構成した側溝ブロックに開設したスリット用の封鎖具である。
【００１１】
請求項２の考案は、請求項１の目的とする意図を達成すること、そして、この意図を達成するに、最適で、かつ優れた係着が図れる脚片の構造を提供すること意図する。
【００１２】
請求項２は、請求項１に記載の側溝ブロックに開設したスリット用の封鎖具であって、
前記脚片の内面で、かつその端側に垂設した対の壁片と、この内面で、前記内面で、かつこの壁片間に階段形状の係止部を備えた拡開用突起と、で構成した側溝ブロックに開設したスリット用の封鎖具である。
【００１３】
請求項３の考案は、請求項２の目的とする意図を達成すること、そして、この意図を達成するに、最適で、かつ優れた流水機能を備えた脚片の構造を提供すること意図する。
【００１４】
請求項３は、請求項２に記載の側溝ブロックに開設したスリット用の封鎖具であって、
前記差込み片と、脚片との連設部位に切込みを形成するとともに、前記差込み片の下端と、前記壁片の上端の間に水路として機能する隙間部を形成する構成とした側溝ブロックに開設したスリット用の封鎖具である。
【００１５】
請求項４の考案は、請求項１の目的とする意図を達成すること、そして、この意図を達成するに、最適で、かつ優れた係着が図れる楔片の構造を提供すること意図する。
【００１６】
請求項４は、請求項１に記載の側溝ブロックに開設したスリット用の封鎖具であって、
前記楔片は、差渡し方向の側壁面に凹凸部を設け、この側壁面の上面に吊下用の鍔片を設ける構成した側溝ブロックに開設したスリット用の封鎖具である。
【考案の効果】
【００１７】
請求項１の考案は、側溝ブロックに開設したスリットを封鎖し、かつ雨水の通過を許す複数の導水開口部を、長手方向に開設した細幅板状の封鎖具本体と、封鎖具本体より垂下した多数の開口部を備えた差込み片と、差込み片の開口部の周辺壁より垂設し、かつスリットに係着される、少なくとも、二個以上の拡縮自在の帯状の脚片と、各脚片を拡開し、開口部より挿入される楔片で構成した側溝ブロックに開設したスリット用の封鎖具である。
【００１８】
従って、請求項１は、歩道と車道との間に設けた側溝ブロックのスリットを確実に封鎖し、スリットへの靴のヒールの喰込み防止、又は傘の石突きの嵌入防止、その他、人の指先の挿入防止、或いは小物の落込み防止等を図るスリット用の封鎖具を提供できる。また、この請求項１は、封鎖具の一方の端部に乗っても、シーソーの如く、他方の端部が競り上がることがなく、安全性と、確実な係着が図れるスリット用の封鎖具を提供できる。そして、また、この請求項１の考案は、封鎖具本体に設けた脚片と、楔片との緊締で、この封鎖具本体を、スリットに、確実、かつ容易に係着できるスリット用の封鎖具を提供できる。
【００１９】
請求項２の考案は、請求項１に記載の側溝ブロックに開設したスリット用の封鎖具であって、
脚片の内面で、かつ端側に垂設した対の壁片と、内面で、前記内面で、かつ壁片間に階段形状の係止部を備えた拡開用突起と、で構成した側溝ブロックに開設したスリット用の封鎖具である。
【００２０】
従って、請求項２は、請求項１の目的とする意図を達成できること、そして、この意図を達成するに、最適で、かつ優れた係着が図れる脚片の構造を提供できること、等の特徴を有する。
【００２１】
請求項３の考案は、請求項２に記載の側溝ブロックに開設したスリット用の封鎖具であって、
差込み片と、脚片との連設部位に切込みを形成するとともに、差込み片の下端と、壁片の上端の間に水路として機能する隙間部を形成する構成とした側溝ブロックに開設したスリット用の封鎖具である。
【００２２】
従って、請求項３は、請求項２の目的とする意図を達成できること、そして、この意図を達成するに、最適で、かつ優れた流水機能を備えた脚片の構造を提供できること、等の特徴を有する。
【００２３】
請求項４の考案は、請求項１に記載の側溝ブロックに開設したスリット用の封鎖具であって、
楔片は、差渡し方向の側壁面に凹凸部を設け、側壁面の上面に吊下用の鍔片を設ける構成した側溝ブロックに開設したスリット用の封鎖具である。
【００２４】
従って、請求項４は、請求項１の目的とする意図を達成できること、そして、この意図を達成するに、最適で、かつ優れた係着が図れる楔片の構造を提供できること、等の特徴を有する。
【図面の簡単な説明】
【００２５】
【図１】本考案のスリット用の封鎖具（封鎖具とする）の一例の全体を示した斜視図
【図２−１】本考案の封鎖具の全体を示した平面図
【図２−２】本考案の封鎖具の全体を示した正面図
【図２−３】本考案の封鎖具の全体を示した側面図
【図３】本考案の封鎖具の封鎖具本体と、脚片等との関係を示した要部欠截の拡大斜視図
【図４】本考案の封鎖具の封鎖具本体の脚片に設けた楔片を示した拡大斜視図
【図５】本考案の封鎖具の封鎖具本体と、脚片と、楔片等との関係を示した要部欠截の拡大斜視図
【図６−１】本考案の封鎖具の封鎖具本体と、脚片等との関係で、この脚片の使用前で、垂下状態（自然状態）を示した要部欠截の拡大側面図
【図６−２】本考案の封鎖具の封鎖具本体と、脚片と、楔片等との関係で、脚片の使用後で拡開状態を示した要部欠截の拡大側面図
【図７】本考案の封鎖具を設置する側溝ブロックの一例を示した斜視図
【図８】本考案の封鎖具を設置するに最適な側溝ブロックの一例を示した斜視図
【考案を実施するための形態】
【００２６】
本考案の好ましい、一実施例を説明すると、１は側溝ブロックＡに開設したスリットＡ１を封鎖する細幅板状の封鎖具本体で、この封鎖具本体１は、耐光性、耐久性、耐蝕性等を備えた樹脂製か、又は金属製とする。尚、樹脂製では、軽量化、取扱いの容易化、また、衝撃性、低音性等に有効である。そして、この封鎖具本体１は、その長手方向Ｘにおいて、かつ上面に開設した雨水の通過を許す複数の導水開口部１００と、この開口部１００の長手方向Ｘに連続して垂下した壁状の差込み片１０１と、また、この開口部１００を短手方向Ｙと、その長手方向Ｘの両端部に差渡した板状の差渡し片１０２を有する。また、この差渡し片１０２の上面には、補強と、スリップ防止用の膨出部１０２ａを形成する。この差込み片１０１と、差渡し片１０２で、開口部１００の方形状の周辺壁２を構成する。尚、差渡し片１０２の垂下方向の高さは、両端部を除いて、他の差渡し片１０２は、差込み片１０１の略１／２程度とする（後述する切欠き部の形成に役立てる）。
【００２７】
また両差込み片１０１（対峙する差込み片１０１、１０１）の周辺壁２の自由端２ａで、かつ差渡し片１０２間には、板状の脚片３、３（対の場合は、一方で説明する。以下、同じ）が対峙、かつ垂下して設けられており、この脚片３の長手方向Ｘの端側には、壁片３００、３００を短手方向Ｙに向って立設する。そして、この壁片３００の上端と、差渡し片１０２（周辺壁２）の下端との間には、後述する、水路の一部として機能し、また、後述する楔片の鍔片の挿入を許すための切欠き部８、８（隙間部）を形成する。この脚片３の内面３ａには、対の係止部５、５（対が望ましいが、一条もあり得る）が設けられており、この係止部５には、その短手方向Ｙの内方に向って、階段形状の係止段５００、５０１・・・・・（５００とする）が設けられ、かつ係止段５００に、下に行くに従って、高くする構造とし、後述する楔片１０の圧入により、この脚片３が短手方向Ｙの外方に拡開する構造である。そして、この係止段５００は、フリー状態（楔片の圧入がないとき）は、水平方向Ｚとなる。尚、この係止部５と、係止段５００は、対であり、当然、対峙関係の構造である。また、この差込み片１０１と、前記脚片３との連設部位７には、差込み片１０１の内側から、外側に向って肉を削いで形成した切込み９、９（対が望ましいが、一条もあり得る）を設ける。この切込み９は、差込み片１０１、及び／又は、脚片３に可撓性が付与できる特徴がある。例えば、この脚片３の拡開と、縮径等の機能の向上と、又はこの脚片３の亀裂防止等の耐久性の向上を図ること、等が考えられる。
【００２８】
図中１０は楔片で、この楔片１０は樹脂製か、又は金属製とする。この楔片１０は、略角柱形状で、先端部１０ａが収れんすることを特徴とし、その短手方向Ｙ（差渡し方向）の側壁面１０ｂ、１０ｂには、水平方向Ｚの凹凸部１１を有するとともに、上面には方形状の鍔片１２を有する。この楔片１０は、その先端部１０ａを、フリー状態の前記封鎖具本体１の開口部１００に差込み（図６−１参照）、この側壁面１０ｂで、この封鎖具本体１の係止部５を押圧する。この押圧で、この封鎖具本体１の脚片３を拡開し、かつこの拡開時に、係止部５の係止段５００が、先下がり傾斜状態となるとともに、この傾斜状態の係止段５００に、楔片１０の凹凸部１１の段付き部が喰込み、所謂、楔係止関係が確保され（図５、図６−２参照）、前記脚片３の拡開が確保されるとともに、この脚片３が、側溝ブロックＡのスリットＡ１の内壁面Ａ２に係着（圧接係止）される。そして、楔片１０の鍔片１２は、切欠き部８に進入した後に、壁片３００の上端（一例として、四箇所の上端）に架承されることで、楔係止関係とともに、この楔片１０の過度の進入防止と、落下防止に役立つ利点がある。
【００２９】
以下、封鎖具本体１を、側溝ブロックＡのスリットＡ１に係着する好ましい一例を説明すると、この封鎖具本体１の脚片３と差込み片１０１を、順にスリットＡ１に差込み、図６−１の如く、差込み時に、この封鎖具本体１の鍔部１ａ下面が、側溝ブロックＡの上面に添接した状態となる。この差込み完了時においては、この差込み片１０１は、スリットＡ１の内壁面Ａ２の上部に近接し、また、この脚片３は、スリットＡ１の内壁面Ａ２より、僅か離間した状態で、例えば、この脚片３とスリットＡ１の内壁面Ａ２との間には、間隔が形成される。また、この状態では、封鎖具本体１の開口部１００と、側溝ブロックＡの通水路Ａ３は連通している。
【００３０】
そこで、続いて、開口部１００の中で、脚片３を設けられている開口部１００（フリー状態の開口部１００）に、楔片１０の先端部１０ａから差込み（図６−１参照）、この側壁面１０ｂで、この脚片３に設けた係止部５を押圧する。この押圧で、この脚片３を拡開し、かつこの拡開時に、係止部５の係止段５００が、先下がり傾斜状態となるとともに、この傾斜状態の係止段５００に、楔片１０の凹凸部１１の段付き部が喰込み、楔係止関係が確保される（図５、図６−２参照）。そして、この脚片３の拡開が確保されるとともに、この脚片３が、側溝ブロックＡのスリットＡ１の内壁面Ａ２に係着される。また、楔片１０の鍔片１２は、切欠き部８に進入した後に、壁片３００の上端に架承されることで、楔係止関係となり、かつ楔片１０の過度の進入防止と、落下防止に役立つ利点がある。
【００３１】
以上の如く、この脚片３が、側溝ブロックＡのスリットＡ１の内壁面Ａ２に係着されることで、封鎖具が、側溝ブロックＡのスリットＡ１に適度の強度で係着される。また、この楔片１０が落下、又は脱抜等されない限り、この封鎖具は、側溝ブロックＡのスリットＡ１より離脱することはないし、また、封鎖具の一方側が持ち上がることも皆無であり、安全に寄与できること、また、事故を誘発することもなく有益である。
【００３２】
そして、前記開口部１００に差込まれ、かつ壁片３００の上端に架承された楔片１０の鍔片１２の上面と、開口部１００の周辺壁２の下端との間には、水路として機能する切欠き部８が形成される。従って、開口部１００より流入した雨水の一部は、又は周辺壁２を流下した雨水は、この切欠き部８（隙間部）を経由し、側溝ブロックＡ内に流下する構造である。即ち、この切欠き部８が水路となり、この開口部１００と、その近辺の開口部１００に導かれた雨水の溢出を防止できる。
【符号の説明】
【００３３】
１              封鎖具本体
１ａ            鍔部
１００          開口部
１０１          差込み片
１０２          差渡し片
１０２ａ        膨出部
２              周辺壁
２ａ            自由端
３              脚片
３ａ            内面
３００          壁片
５              係止部
５００          係止段
７              連設部位
８              切欠き部
９              切込み
１０            楔片
１０ａ          先端部
１０ｂ          側壁面
１１            凹凸部
１２            鍔片
Ａ              側溝ブロック
Ａ１            スリット
Ａ２            内壁面
Ａ３            通水路
Ｘ              長手方向
Ｙ              短手方向
Ｚ              水平方向